(57)【特許請求の範囲】
【請求項１】
前面に開閉自在に設けられた扉体を有する筺体と、有底円筒状に形成され前記扉体に対応する位置に衣類投入口を有する回転ドラムと、前記筺体内に揺動自在に配設され前記回転ドラムを回転自在に内包する水槽と、前記回転ドラムを回転駆動するモータと、前記回転ドラムの内壁面に設けられ複数の通水孔を有する複数の衣類攪拌用のバッフルと、給水弁と接続され前記水槽へ給水する給水管と、前記水槽内の洗濯水を前記水槽と連通する排水管および接続管により前記水槽へ循環させるポンプとを備え、前記回転ドラムの背面側内底部に、前記回転ドラムと同一の回転軸上に分け洗い用のサブドラムを着脱自在に配設し、前記サブドラムの最大径は前記衣類投入口の径より小さく形成したドラム式洗濯機。
【請求項２】
前記サブドラムは、前面である頂部に開閉自在の蓋体を設け、前記蓋体側が径小で、前記回転ドラムの背面側内底部側である底部に向かうに従い径大となる略円錐台形状に形成され、複数の開口部を形成し、前記開口部は、前記蓋体に頂部開口部、前記底部に底部開口部、前記頂部と前記底部をつなぐ傾斜面の前記頂部側に傾斜面頂部開口部、傾斜面の前記底部側に傾斜面底部開口部からなる請求項１に記載のドラム式洗濯機。
【請求項３】
前記サブドラムは、前記頂部と前記底部をつなぐ前記傾斜面の最頂部側に、外周側へ凸となるようにリング状に凸状リブ部を形成した請求項２に記載のドラム式洗濯機。
【請求項４】
前記給水管は、一端が前記給水弁と接続されるとともに他端が前記水槽の背面と接続され、給水時には前記サブドラムの前記底部開口部を介して前記サブドラム内に給水する請求項２または３に記載のドラム式洗濯機。
【請求項５】
前記接続管は、一端が前記ポンプと接続されるとともに他端が前記水槽の背面と接続され、前記ポンプ駆動時において、前記水槽内の洗濯水を前記サブドラムの前記底部開口部を介して前記サブドラム内に噴出して循環する請求項２〜４のいずれか１項に記載のドラム式洗濯機。
【請求項６】
前記バッフルは、一端側は複数の前記通水孔を形成して前記回転ドラムの内壁面に当接し、他端側は前記回転ドラムの背面側内底部に当接して、前記一端側と連通した水路を形成
することで略Ｌ字状を成し、前記水路は前記サブドラム内に連通した請求項１に記載のドラム式洗濯機。
【発明の詳細な説明】
【技術分野】
【０００１】
本発明は、洗い、すすぎ、脱水行程を自動制御して行なうドラム式洗濯機に関するものである。
【背景技術】
【０００２】
従来、この種のドラム式洗濯機は、ウールやシルク等のデリケートな衣類の洗濯に対して、布傷みや縮み等の損傷を与えないための制御方式が提案されている（例えば、特許文献１参照）。
【０００３】
図７は、特許文献１に記載された従来のドラム式洗濯機の縦断面図、図８は、同ドラム式洗濯機のドライコースにおける水位の時間変化を示す図である。
【０００４】
図７、図８において、筺体４９の内部に揺動自在に水槽４３が配設され、水槽４３内には、回転ドラム４１が回転自在に配設されている。回転ドラム４１の回転中心に設けられた回転軸４４にモータ４５が連結され、モータ４５により回転ドラム４１が正転、逆転方向に回転駆動される。回転ドラム４１の内壁面には、洗濯物を撹拌するための数個の突起板４６が設けられている。
【０００５】
筺体４９の上部には給水弁５４が配設されて水槽４３内に適時に給水され、水位検知手段５６にて給水された洗濯水の水圧により複数段の水位を検知することができる。また、水槽４３下部に配設された排水弁５３は、その開閉により水槽４３内の洗濯水を機外へ排出する。
【０００６】
運転コース等のモードや各種機能の選択は、使用者が筺体４９の前面の上部に設けられた操作表示手段６１から入力設定手段（図示せず）へ入力して行ない、その入力情報を基に表示手段（図示せず）に表示して使用者に知らせる。
【０００７】
以上の構成にて、デリケートな衣類を洗うためにドライコースが選択されると、洗い行程において、時刻ｔ０では、水槽４３内に５０ｍｍまで給水され、時刻ｔ０からｔ１では７０ｍｍの水位まで給水しながら回転ドラム４１を回転させて、衣類への洗濯水の浸透、洗剤の泡立て等が行なわれる。
【０００８】
時刻ｔ１からｔ２の期間では、７０ｍｍの水位で揺り洗い行程Ａを実行する。揺り洗い行程Ａでは、２０ｒ／ｍｉｎで正面視右回転＋４５°の回転角度だけ回転ドラム４１を回転させ、同じ回転数で−４５°の回転角度だけ回転ドラムを回転させる反復動作を２回行ない、その後、４０ｒ／ｍｉｎで３６０°を１回だけ回転させる。
【０００９】
この揺り洗いの動作を、水位を上げながら水位１５０ｍｍまで計５段階行なって洗い行程を実行し、洗い行程終了後、排水行程、脱水行程へと移行していく。
【先行技術文献】
【特許文献】
【００１０】
【特許文献１】特開２００５−１３１１１７号公報
【発明の概要】
【発明が解決しようとする課題】
【００１１】
しかしながら、前記従来の構成では、デリケートな衣類を丁寧に洗うのは良いが、時間
と水量を多く消費してしまうという課題があった。
【００１２】
本発明は、前記従来の課題を解決するもので、回転ドラム内にデリケートな衣類を投入して洗うためのサブドラムを別途設けることにより、デリケートな衣類を、少ない時間、少ない水量で、布傷みを発生させることなく、洗浄性能を確保して洗うというドラム式洗濯機を提供することを目的とする。
【課題を解決するための手段】
【００１３】
前記従来の課題を解決するために、本発明のドラム式洗濯機は、前面に開閉自在に設けられた扉体を有する筺体と、有底円筒状に形成され前記扉体に対応する位置に衣類投入口を有する回転ドラムと、前記筺体内に揺動自在に配設され前記回転ドラムを回転自在に内包する水槽と、前記回転ドラムを回転駆動するモータと、前記回転ドラムの内壁面に設けられ複数の通水孔を有する複数の衣類攪拌用のバッフルと、給水弁と接続され前記水槽へ給水する給水管と、前記水槽内の洗濯水を前記水槽と連通する排水管および接続管により前記水槽へ循環させるポンプとを備え、前記回転ドラムの背面側内底部に、前記回転ドラムと同一の回転軸上に分け洗い用のサブドラムを着脱自在に配設し、前記サブドラムの最大径は前記衣類投入口の径より小さく形成する構成としたものである。
【００１４】
これによって、デリケートな衣類を、少ない時間、少ない水量で、布傷みを発生させることなく、洗浄性能を確保して洗うことができる。
【発明の効果】
【００１５】
本発明により、デリケートな衣類を、少ない時間、少ない水量で、布傷みを発生させることなく、洗浄性能を確保して洗うことができる。
【図面の簡単な説明】
【００１６】
【図１】本発明の実施の形態１におけるドラム式洗濯機の概略縦断面図
【図２】（ａ）同ドラム式洗濯機のサブドラムの蓋体が閉じた状態の要部斜視図、（ｂ）同ドラム式洗濯機のサブドラムの蓋体が開いた状態の要部斜視図
【図３】同ドラム式洗濯機のサブドラムの蓋体の拡大図
【図４】同ドラム式洗濯機の揚水がサブドラムに供給される説明図
【図５】同ドラム式洗濯機のサブドラムへの給排水を示した説明図
【図６】本発明の実施の形態２におけるドラム式洗濯機の概略縦断面図
【図７】従来のドラム式洗濯機の縦断面図
【図８】同ドラム式洗濯機のドライコースにおける水位の時間変化を示す図
【発明を実施するための形態】
【００１７】
第１の発明は、前面に開閉自在に設けられた扉体を有する筺体と、有底円筒状に形成され前記扉体に対応する位置に衣類投入口を有する回転ドラムと、前記筺体内に揺動自在に配設され前記回転ドラムを回転自在に内包する水槽と、前記回転ドラムを回転駆動するモータと、前記回転ドラムの内壁面に設けられ複数の通水孔を有する複数の衣類攪拌用のバッフルと、給水弁と接続され前記水槽へ給水する給水管と、前記水槽内の洗濯水を前記水槽と連通する排水管および接続管により前記水槽へ循環させるポンプとを備え、前記回転ドラムの背面側内底部に、前記回転ドラムと同一の回転軸上に分け洗い用のサブドラムを着脱自在に配設し、前記サブドラムの最大径は前記衣類投入口の径より小さく形成したドラム式洗濯機とすることにより、デリケートな衣類を、少ない時間、少ない水量で、布傷みを発生させることなく、洗浄性能を確保して洗うことができる。
【００１８】
第２の発明は、特に、第１の発明の前記サブドラムは、前面である頂部に開閉自在の蓋体を設け、前記蓋体側が径小で、前記回転ドラムの背面側内底部側である底部に向かうに従い径大となる略円錐台形状に形成され、複数の開口部を形成し、前記開口部は、前記蓋体に頂部開口部、前記底部に底部開口部、前記頂部と前記底部をつなぐ傾斜面の前記頂部側に傾斜面頂部開口部、傾斜面の前記底部側に傾斜面底部開口部からなるドラム式洗濯機とすることにより、洗い行程において、回転ドラムが回転してバッフルにより掻き揚げら
れた洗濯水が、バッフルの通水孔からサブドラムの開口部を介してサブドラム内に供給され続けるので、洗浄性能を向上させることができる。
【００１９】
第３の発明は、特に、第２の発明の前記サブドラムは、前記頂部と前記底部をつなぐ前記傾斜面の最頂部側に、外周側へ凸となるようにリング状に凸状リブ部を形成したドラム式洗濯機とすることにより、洗い行程において、回転ドラムが回転してバッフルにより掻き揚げられた洗濯水が、バッフルの通水孔からより効率良く、特にサブドラムの傾斜面の開口部を介してサブドラム内に供給され続けるので、洗浄性能を向上させることができる。
【００２０】
第４の発明は、特に、第２または第３の発明の前記給水管は、一端が前記給水弁と接続されるとともに他端が前記水槽の背面と接続され、給水時には前記サブドラムの前記底部開口部を介して前記サブドラム内に給水するドラム式洗濯機とすることにより、サブドラム内のデリケート衣類を早く濡らすことができるので、洗浄性能を向上させることができる。
【００２１】
第５の発明は、特に、第２〜４のいずれかの１つの発明の前記接続管は、一端が前記ポンプと接続されるとともに他端が前記水槽の背面と接続され、前記ポンプ駆動時において、前記水槽内の洗濯水を前記サブドラムの前記底部開口部を介して前記サブドラム内に噴出して循環するドラム式洗濯機とすることにより、サブドラム内のデリケート衣類に洗濯液を早く浸透させることができるので、洗浄性能を向上させることができる。
【００２２】
第６の発明は、特に、第１の発明の前記バッフルは、一端側は複数の前記通水孔を形成して前記回転ドラムの内壁面に当接し、他端側は前記回転ドラムの背面側内底部に当接して、前記一端側と連通した水路を形成することで略Ｌ字状を成し、前記水路は前記サブドラム内に連通したドラム式洗濯機とすることにより、洗い行程において、回転ドラムが回転してバッフルにより掻き揚げられた洗濯水が、バッフルの通水孔からサブドラムの開口部を介してサブドラム内に供給され続けるとともに、水路を介してもサブドラム内に供給され続けるので、洗浄性能をより向上させることができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態におけるドラム式洗濯機の概略縦断面図、図２（ａ）は、同ドラム式洗濯機のサブドラムの蓋体が閉じた状態の要部斜視図、（ｂ）は、同ドラム式洗濯機のサブドラムの蓋体が開いた状態の要部斜視図、図３は、同ドラム式洗濯機のサブドラムの蓋体の拡大図である。
【００２５】
図１において、筺体３１の内部に揺動自在に水槽３２が配設され、水槽３２内には、有底円筒状の回転ドラム１が回転自在に配設されている。回転ドラム１の回転中心に回転軸（回転中心軸）８が設けられ、この回転軸８に、水槽３２の背面側近傍に取り付けたモータ（図示せず）が連結され、モータにより回転ドラム１が正転、逆転方向に回転駆動される。
【００２６】
回転ドラム１の内壁面には、洗濯物を撹拌するための数個のバッフル３が設けられており、バッフル３には複数の通水孔３３が形成されている。
【００２７】
筺体３１の前面には開閉自在の扉体３４が設けられ、扉体３４を開けて洗濯物を回転ドラム１内へ投入するようになっている。
【００２８】
また、回転ドラム１の背面側内底部には、略円錐台形状のサブドラム２が設けられており、回転軸８と略同一中心となっている。
【００２９】
サブドラム２は、ウールやシルク等のデリケートな衣類を入れて分け洗いを行なうためのもので、回転ドラム１に着脱自在であり、必要な時だけ回転ドラム１に取り付けて使用できる。また、サブドラム２には水が通り易いように複数の開口部７が形成されており、開口部７は、底部に設けた底部開口部７ａ、頂部に設けた頂部開口部７ｃ、傾斜面５の頂部側に設けた傾斜面頂部開口部７ｂ、傾斜面５の底部側に設けた傾斜面底部開口部７ｄで構成されている。
【００３０】
また、サブドラム２の最大径φＳＤは、回転ドラム１の衣類投入口径φＭＤ、扉体３４の内径φＴＤより小さく形成されており、上述のように、回転ドラム１に対して着脱自在で取出しが可能となるよう構成されている。なお、サブドラム２については、図２以降で詳述する。
【００３１】
また、水槽３２の背面側には給水弁（図示せず）と連結された給水管３０が接続されており、給水弁の開動作により、水槽３２背面側からサブドラム２の底部開口部７ａを介してサブドラム２内に給水され、内部に投入されたデリケート衣類を濡らした後、傾斜面頂部開口部７ｂあるいは傾斜面底部開口部７ｄから回転ドラム１内に流れ、洗濯水１３として利用される。
【００３２】
また、水槽３２の下部側にはポンプ１２が配設されており、ポンプ１２は排水管３６で水槽３２と接続され、接続管３７にて水槽３２の背面側と連通している。この配管により、ポンプ１２を駆動すると、回転ドラム１内の洗濯水１３は、水槽３２からポンプ１２に入り、水槽３２背面側からサブドラム２の底部開口部７ａを介してサブドラム２内に噴出され、内部に投入されたデリケート衣類を濡らした後、傾斜面頂部開口部７ｂあるいは傾斜面底部開口部７ｄから回転ドラム１内に流れ、また循環する。
【００３３】
運転コース等のモードや各種機能の選択は、筺体３１の前面上部に設けられた操作表示部３５から使用者が入力設定部（図示せず）へ入力して行い、筺体３１の内方に配設された制御手段（図示せず）が、その入力情報を基に表示部（図示せず）で表示して使用者に知らせる。
【００３４】
図２（ａ）、（ｂ）、および、図３において、サブドラム２の前面側には蓋体１４が開閉自在に設けられており、上述の頂部開口部７ｃはこの蓋体１４に形成されている。
【００３５】
蓋体１４の左右どちらか一方の端部には、ヒンジ部１８が設けられ、円筒部２２内に設けたサブドラム回転軸２１が開閉時の回転中心となっている。そして、他端部には、取っ手部１７が設けられ、指掛け開閉部１９の操作により爪部２０がサブドラム２に係合、離脱するようになっている。そして、蓋体１４が開いた時には、ヒンジ部１８近傍に設けられたバネ体（図示せず）により、蓋体１４は他端部側が回転ドラム１内壁面に当接するぐらい大きな角度で開くようになっている。
【００３６】
また、傾斜面５の最頂部側には、外周側へ凸となるようにリング状に凸状リブ部１０が形成されている。
【００３７】
以上のように構成したドラム式洗濯機について、以下、その動作、作用を説明する。
【００３８】
図４は、本発明の第１の実施の形態におけるドラム式洗濯機の揚水がサブドラムに供給
される説明図、図５は、同ドラム式洗濯機のサブドラムへの給排水を示した説明図である。
【００３９】
図４、図５において、回転ドラム１内にサブドラム２を取り付けた状態で、蓋体１４を開けてサブドラム２内にデリケート衣類を投入し、操作表示部３５にて運転コースを設定してスタートさせると、給水弁（図示せず）が動作し、給水管３０を介してサブドラム２内に給水され、給水された水は投入されているデリケート衣類を濡らしながら傾斜面頂部開口部７ｂあるいは傾斜面底部開口部７ｄから回転ドラム１内に流れ、所定の水位になると給水が停止して洗い行程が始まり、回転ドラム１が左右回転をして洗いが進行していく。
【００４０】
回転ドラム１が左右回転を始めると、洗濯水１３が回転ドラム１内壁に設けられたバッフル３により揚水９となって掻き揚げられ、バッフル３が上方に行った時にバッフル３の通水孔３３よりサブドラム２へ向かって噴水され、その水がサブドラム２の頂部に設けられた頂部開口部７ｃや傾斜面５に設けられた傾斜面頂部開口部７ｂ、傾斜面底部開口部７ｄからサブドラム２内部へ供給され、サブドラム２内に設けたサブドラムバッフル４による作用も加味されて、洗浄が促進される。
【００４１】
この時、傾斜面５の最頂部側には、外周側へ凸となるようにリング状に凸状リブ部１０が形成されているために、通水孔３３からの水が効率良く傾斜面頂部開口部７ｂ、傾斜面底部開口部７ｄからサブドラム２内部へ供給される。
【００４２】
そして、サブドラム２内部へ供給されデリケートな衣類を濡らし浸透した水は、傾斜面頂部開口部７ｂ、傾斜面底部開口部７ｄから回転ドラム１内へ流れていき、回転ドラム１の回転により循環される。
【００４３】
また、洗い行程の所定の期間には、ポンプ１２が駆動して、上述のように、回転ドラム１内の洗濯水１３は、サブドラム２の底部開口部７ａを介してサブドラム２内に射出され、内部に投入されたデリケート衣類を濡らした後、傾斜面頂部開口部７ｂおよび傾斜面底部開口部７ｄから回転ドラム１内に流れ、また循環することにより、更に洗浄が促進される。
【００４４】
なお、回転ドラム１にサブドラム２を取り付けて内部にデリケートな衣類を投入して洗うと同時に、必要に応じて、回転ドラム１内に一般的な衣類を投入して洗うこともできるし、サブドラム２は着脱自在であるためにサブドラム２を取り外して、一般的な衣類を洗うこともできる。
【００４５】
以上のように、本実施の形態１においては、回転ドラム１の背面側内底部に、回転ドラム１と同一の回転軸８上に分け洗い用のサブドラム２を配設する構成とすることにより、デリケートな衣類を、少ない時間、少ない水量で、布傷みを発生させることなく、洗浄性能を確保して洗うことができる。
【００４６】
また、サブドラム２は、前面である頂部に開閉自在の蓋体１４を設け、この蓋体１４側が径小の略円錐台形状に形成されている。この頂部の蓋体１４に頂部開口部７ｃ、底部に底部開口部７ａ、頂部と底部をつなぐ傾斜面５の頂部側に傾斜面頂部開口部７ｂ、傾斜面５の底部側に傾斜面底部開口部７ｄの複数の開口部７を形成する構成とすることにより、洗い行程において、回転ドラム１が回転してバッフル３により掻き揚げられた洗濯水が、バッフル３の通水孔３３からサブドラム２の開口部７を介してサブドラム２内に供給され続けるので、洗浄性能を向上させることができる。
【００４７】
また、サブドラム２は、頂部と底部をつなぐ傾斜面５の最頂部側に、外周側へ凸となるようにリング状に凸状リブ部１０を形成する構成とすることにより、洗い行程において、回転ドラム１が回転してバッフル３により掻き揚げられた洗濯水が、バッフル３の通水孔３３からより効率良く、特にサブドラム２の傾斜面５の開口部７を介してサブドラム２内に供給され続けるので、洗浄性能を向上させることができる。
【００４８】
また、給水管３０は、一端を給水弁と他端を水槽３２の背面側と接続され、給水時にはサブドラム２の底部開口部７ａを介してサブドラム２内に給水する構成とすることにより、サブドラム２内のデリケート衣類を早く濡らすことができるので、洗浄性能を向上させることができる。
【００４９】
また、接続管３７は、一端をポンプ１２と他端を水槽３２の背面側と接続され、ポンプ１２駆動時において、水槽３２内の洗濯水をサブドラム２の底部開口部７ａを介してサブドラム２内に噴出して循環する構成とすることにより、サブドラム２内のデリケート衣類に洗濯液を早く浸透させることができるので、洗浄性能を向上させることができる。
【００５０】
(実施の形態２)
図６は、本発明の第２の実施の形態におけるドラム式洗濯機の概略縦断面図である。なお、第１の実施の形態とは、バッフルの構成が異なるのみであり、同じ構成、部位については、同一符号を付し、説明を省略する。
【００５１】
図６において、回転ドラム１の内壁面には、洗濯物を撹拌するための数個のバッフル３９が設けられており、バッフル３９には複数の通水孔３８は形成されている。
【００５２】
バッフル３９は、略Ｌ字状をしており、一端側は複数の通水孔３８を形成して、回転ドラム１の内壁面に当接しており、他端側は回転ドラム１の背面側に当接して、一端側と連通した水路１１となっており、その端部はサブドラム２の傾斜面５底部よりサブドラム２内に連通している。
【００５３】
以上の構成により、蓋体１４を開けてサブドラム２内にデリケート衣類を投入し、洗い行程をスタートすると、給水弁（図示せず）が動作し、給水管３０を介してサブドラム２内に給水され、給水された水は投入されているデリケート衣類を濡らしながら傾斜面頂部開口部７ｂあるいは傾斜面底部開口部７ｄから回転ドラム１内に流れ、所定の水位になると給水が停止して洗い行程が始まり、回転ドラム１が左右回転をして洗いが進行していく。
【００５４】
回転ドラム１が左右回転を始めると、洗濯水１３が回転ドラム１内壁に設けられたバッフル３９により揚水９となって掻き揚げられ、バッフル３９が上方に行った時にバッフル３の通水孔３８よりサブドラム２へ向かって噴水されて、その水がサブドラム２の頂部に設けられた頂部開口部７ｃや傾斜面５に設けられた傾斜面頂部開口部７ｂ、傾斜面底部開口部７ｄからサブドラム２内部へ供給されるとともに、水路１１を通ってサブドラム２内部へ供給され、洗浄が促進される。
【００５５】
以上のように、本実施の形態２においては、バッフル３９は、略Ｌ字状を成し、一端側は複数の通水孔３８を形成して回転ドラム１の内壁面に当接し、他端側は回転ドラム１の背面側に当接して、一端側と連通した水路１１を形成し、水路１１はサブドラム２内に連通する構成とすることにより、洗い行程において、回転ドラム１が回転してバッフル３９により掻き揚げられた洗濯水が、バッフル３９の通水孔３８からサブドラム２の開口部７を介してサブドラム２内に供給され続けるとともに、水路１１を介してもサブドラム２内に供給され続けるので、洗浄性能をより向上させることができる。
【産業上の利用可能性】
【００５６】
本発明は、回転ドラム内部に分け洗い用のサブドラムを配設してデリケートな衣類を洗う構成とすることにより、少ない時間、少ない水量で、布傷みを発生させることなく、洗浄性能を確保して洗うことが可能となるので、洗濯機能を有する他の洗濯機の用途に適用できる。
【符号の説明】
【００５７】
１  回転ドラム
２  サブドラム
３  バッフル
５  傾斜面
７  開口部
７ａ  底部開口部
７ｂ  傾斜面頂部開口部
７ｃ  頂部開口部
７ｄ  傾斜面底部開口部
８  回転軸
１０  凸状リブ部
１１  水路
１２  ポンプ
１４  蓋体
３０  給水管
３１  筺体
３２  水槽
３３  通水孔
３５  操作表示部
３６  排水管
３７  接続管
３８  通水孔
３９  バッフル
【図１】
0006454875.tif 000002
【図２】
0006454875.tif 000003
【図３】
0006454875.tif 000004
【図４】
0006454875.tif 000005
【図５】
0006454875.tif 000006
【図６】
0006454875.tif 000007
【図７】
0006454875.tif 000008
【図８】
0006454875.tif 000009